(57)【特許請求の範囲】
【請求項１】
シートに印字された画像を読取る画像読取部と、
前記画像読取部で読取ったシートを搬送する搬送部と、
加熱消色部であり、前記搬送部により搬送されたシートを、消色可能色材により印字された画像を消色する第１の加熱温度、または前記第１の加熱温度よりも低く、前記加熱消色部の加熱を停止させた場合の該加熱消色部の温度よりも高い第２の加熱温度で加熱する加熱消色部と、
前記画像読取部で読取った画像中に消色処理禁止の情報が含まれる場合には、前記加熱消色部の温度を前記第２の加熱温度に設定し、
前記画像読取部で読取った画像中に消色処理禁止の情報が含まれない場合には、前記加熱消色部の温度を前記第１の加熱温度に設定し、
消色処理禁止の情報が含まれる場合は、前記加熱消色部での通紙時間を、消色処理禁止の情報が含まれない場合の前記加熱消色部での通紙時間よりも短くする制御部と
を有する消色装置。
【請求項２】
請求項１に記載された装置であって、
前記搬送部は、
前記画像読取部が位置する第１の搬送路と、
前記第１の搬送路における前記画像読取部のシート搬送方向下流から分岐し、前記加熱消色部を通り、前記画像読取部のシート搬送方向上流で合流する第２の搬送路を有するものであり、
前記第１の搬送路における前記画像読取部の位置から前記第１の搬送路における分岐点までの距離が、通紙可能な最大シートにおける長手方向の長さよりも短い消色装置。
【請求項３】
請求項２に記載された装置であって、
前記搬送部は、
前記第２の搬送路に位置し、前記画像読取部で読取られたシートを前記加熱消色部へ導くとともに、前記第１の搬送路へ搬送する消色搬送部を有するものであり、
前記制御部は、前記画像読取部で読取った画像中に消色処理禁止の情報が含まれる場合には、前記消色搬送部の駆動速度を、前記画像読取部で読取った画像中に消色処理禁止の情報が含まれない場合における前記消色搬送部の駆動速度よりも速くなるように設定する消色装置。
【請求項４】
請求項１乃至３のいずれか１項に記載された装置であって、
前記加熱消色部における前記第２の加熱温度は、１００℃未満である消色装置。
【発明の詳細な説明】
【技術分野】
【０００１】
この明細書に記載の実施形態は、加熱処理により消色可能な色材でシート上に印字した画像を消色する消色処理技術に関する。
【背景技術】
【０００２】
従来、消色可能な色材による画像が印字されたシートを消色温度まで加熱して、消色する消色部を有する消色装置がある。この消色装置の中には、画像読取部で画像中に含まれるシートに印字された消色処理禁止の情報を読取った場合に、消色部の加熱を停止し、消色部に通紙されるシートに印字された画像を消色しないものがある。
【先行技術文献】
【特許文献】
【０００３】
【特許文献１】特開平６−９５４９４号公報
【発明の概要】
【発明が解決しようとする課題】
【０００４】
しかしながら、この消色装置では、消色処理禁止の情報を含む画像が印字されたシートを消色部に通紙する場合には、消色部を通紙するシートに印字された画像が消色しないようにするために、消色部の加熱を停止させ、消色部の温度を急激に低下させる。このため、この消色装置においては、再度消色部でシートに印字された画像を消色するためには、消色部の温度を低い状態から消色温度まで到達させる必要があり、その間消色部へのシートの通紙を停止させるため、消色処理に関するパフォーマンスが低下する問題があった。
【課題を解決するための手段】
【０００５】
本明細書に記載の実施形態に係る消色装置は、シートに印字された画像を読取る画像読取部と、画像読取部で読取ったシートを搬送する搬送部と、搬送部により搬送されたシートを、消色可能色材により印字された画像を消色する第１の加熱温度または第１の加熱温度とは異なる第２の加熱温度で加熱する加熱消色部と、画像読取部で読取った画像中に消色処理禁止の情報が含まれる場合には、加熱消色部の温度を第２の加熱温度に設定し、画像読取部で読取った画像中に消色処理禁止の情報が含まれない場合には、加熱消色部の温度を第１の加熱温度に設定する制御部とを有する。
【図面の簡単な説明】
【０００６】
【図１】実施形態に係る消色装置の概略構成を示す図。
【図２】図１に示す加熱消色部を拡大した図。
【図３】図１に示す消色装置のハードウェア構成を示すブロック図。
【図４】図１の消色装置による消色処理を示す制御フローチャート。
【図５】図４の加熱消色処理を示す制御フローチャート。
【図６】変形例における消色装置１の加熱消色処理を示す制御フローチャート。
【発明を実施するための形態】
【０００７】
以下、実施形態の消色装置１を図面に基づいて説明する。図１は実施形態に係る消色装置１の概略構成を示す図であり、図２は図１に示す加熱消色部２を拡大した図である。なお、消色装置１の幅方向をｘ軸、奥行き方向をｙ軸、高さ方向をｚ軸とする。
【０００８】
消色装置１は、図１に示すように、消色処理を行う複数枚のシートを給紙する給紙部１１、搬送部１２、搬送部１２により搬送されたシートを排紙する排紙部１３、消色搬送部１４、画像読取部１５、加熱消色部２、再利用回数印字部１６、記憶部３、制御部４および操作パネル１７を備える。排紙部１３は、再利用可能なシートを排紙する再利用可排紙トレイ１３１と再利用不可能なシートを排紙する再利用不可排紙トレイ１３２とを有する。
【０００９】
給紙部１１は、消色温度に達すると消色する消色可能トナーや消色可能インク等の消色可能色材による画像が印字されたシートを積載するスタッカトレイ１１１、ピックアップローラ１１２、および給紙ローラ１１３を有する。スタッカトレイ１１１には、例えばＡ４、Ａ５、Ｌｅｔｔｅｒサイズ等の種々のサイズの消色装置１内に給紙可能なシートを積載する。スタッカトレイ１１１に積載されたシートは、ピックアップローラ１１２により一枚ずつ取り出され、給紙ローラ１１３により搬送部１２へ供給される。なお、スタッカトレイ１１１内には、消色消色可能色材による画像が印字されたシート以外を積載しても良い。
【００１０】
搬送部１２は、第１搬送路１２１、第２搬送路１２２、第３搬送路１２３、第１搬送路１２１と第２搬送路１２２へのシート搬送を切替える第１フラッパ１２４、スイッチバックしたシートを第３搬送路１２３へ導く第２フラッパ１２５、および第１、第２、第３搬送路１２１、１２２、１２３内のシートを搬送する搬送ローラ１２６を有する。図１に示すように、第1搬送路１２１は、給紙部１１から画像読取部１５を通り、再利用可排紙トレイ１３１へシートを搬送する搬送路である。第２搬送路１２２は、第１搬送路１２１における画像読取部１５のシート搬送方向下流から分岐し、加熱消色部２を通り、画像読取部１５のシート搬送方向上流で合流する搬送路である。第１フラッパ１２４は、第１搬送路１２１から第２搬送路１２２に分岐する第１分岐点１２７に位置する。第３搬送路１２３は、第１搬送路１２１における第１分岐点１２７のシート搬送方向下流から分岐し、第１搬送路１２１内を搬送されるシートを再利用不可排紙トレイ１３２へ搬送する搬送路である。第２フラッパ１２５は、この第１搬送路１２１から第３搬送路１２３に分岐する第２分岐点１２８に位置する。
【００１１】
消色搬送部１４は、図１に示すように、第２搬送路１２２における加熱消色部２のシート搬送方向の上流および下流に位置する。消色搬送部１４は、画像読取部１５で読取られたシートを加熱消色部２へ導くとともに、第２搬送路１２２内のシートを第１搬送路１２１へ戻す。この消色搬送部１４の駆動速度を変更することにより、加熱消色部２を通紙するシートの速度を任意に変更することができる。
【００１２】
画像読取部１５は、例えばスキャナ等であり、読取位置１５３においてシートに印字された画像を読取り、図１に示すように、シートの一方の面に印字された画像を読取る第１画像読取部１５１と、シートの他方の面に印字された画像を読取る第２画像読取部１５２を有する。画像読取部１５は、シートに印字された画像を読取ることで、読取った画像中に含まれる消色処理禁止に関する情報（機密文章に関する識別情報や再利用回数が再利用可能上限回数に達する情報など）を取得する。
【００１３】
加熱消色部２は、図２に示すように、搬送部１２により搬送されたシートを加熱するものであり、第１加熱消色部２１および第２加熱消色部２２を有する。第１加熱消色部２１は、第２搬送路１２２を挟みように位置する第１加圧部２１１および第１熱源メインランプ２１２aを有する第１加熱部２１２と第１加熱部２１２の温度を検出する第１温度検出部２１３とを有する。第２加熱消色部２２は、第１加熱消色部２１のシート搬送方向の下流側であり、第１加熱部２１２と同じ側に位置する第２加圧部２２１と、第２加圧部２２１に対向して位置し、第２熱源メインランプ２２２aおよび第２熱源サブランプ２２２bを備える第２加熱部２２２と、第２加熱部２２２の温度を検出する第２温度検出部２２３とを有する。
【００１４】
加熱消色部２は、第１温度検出部２１３および第２温度検出部２２３の検出結果に基づき、第１熱源メインランプ２１２a、第２熱源メインランプ２２２aおよび第２熱源サブランプ２２２ｂを点灯させて、第１加熱消色部２１の温度および第２加熱消色部２２の温度（以下、加熱消色部２の温度という）を所望の加熱温度に設定する。加熱消色部２が設定する所望の加熱温度としては、消色可能色材により印字された画像が消色する第１の加熱温度や、第１の加熱温度より低い第２の加熱温度などである。なお、第１の加熱温度および第２の加熱温度のそれぞれは、一定の温度としても良く、あるいは、所定の幅を持った温度領域としても良い。
【００１５】
ここで、第２加熱部２２２が備える第２熱源メインランプ２２２aおよび第２熱源サブランプ２２２ｂの総和の熱量は、第１加熱部２１２が備える第１熱源メインランプ２１２aの熱量よりも小さく設定すると良い。例えば、第１加熱部２１２が備える第１熱源メインランプ２１２aの熱量を７００Ｗとし、第２加熱部２２２が備える第２熱源メインランプ２２２aおよび第２熱源サブランプ２２２ｂの総和の熱量を６５０Ｗとする。これは、第２加熱部２２２が第１加熱部２１２のシート搬送方向下流側に位置しており、第２加熱部２２２を通過するシートがある程度加熱された状態であるため、シートを加熱する際に第２加熱部２２２において奪われる熱量が第１加熱部２１２において奪われる熱量に比べて少ないためである。
【００１６】
再利用回数印字部１６は、第１搬送路１２１における画像読取部１５のシート搬送方向下流に位置し、画像読取部１５で読取った画像中に含まれる再利用回数に応じて、シートに再利用回数を印字する。
【００１７】
記憶部３は、アプリケーションプログラムおよびＯＳを記憶する。アプリケーションプログラムは、画像読取部１５による読取機能、加熱消色部２の加熱消色機能といった消色装置１が有する機能を実行するプログラム、Ｗｅｂクライアント用のアプリケーション（Ｗｅｂブラウザ）またはその他のアプリケーションを含む。また、記憶部３には、予め機密文章に関する各種識別情報および再利用上限回数などが記憶している。
【００１８】
制御部４は、消色装置１全体を制御し、各種処理を実行する。例えば、制御部４は、画像読取部１５で読取った画像中に消色処理禁止の情報が含まれるか否かを判断し、この判断結果に基づいて、加熱消色部２の温度を第１の加熱温度または第２の加熱温度に設定する。この制御部４により画像中に消色処理禁止の情報が含まれると判断する場合としては、例えば、記憶部３内に記憶されている機密文章に関する識別情報と一致すると判断する場合、または記憶部３内に記憶されている再利用上限回数と再利用回数印字部１６により印字された回数が一致すると判断する場合などである。
【００１９】
また、制御部４が画像読取部１５で読取った画像中に消色処理禁止の情報が含まれると判断した場合には、制御部４は、加熱消色部２の温度を第２の加熱温度に設定する。一方、制御部４が画像読取部１５で読取った画像中に消色処理禁止の情報が含まれないと判断した場合には、制御部４は、加熱消色部２の温度を第１の加熱温度に設定する。
【００２０】
操作パネル１７は、タッチパネル式の表示部１７１と、テンキー、ストップキー、スタートキー等の操作部１７２とを備える。使用者は、操作部１７２の操作または表示部１７１のタッチ操作により、消色処理開始の入力や消色装置１に関する各種設定を行う。
【００２１】
次に本実施形態の消色装置１におけるハードウェア構成について説明する。図３は、図１の消色装置１におけるハードウェア構成を示すブロック図である。
【００２２】
消色装置１は、図３に示すように、制御部４、記憶部３、給紙部１１、排紙部１３、画像読取部１５、搬送部１２、操作パネル１７、再利用回数印字部１６、加熱消色部２および消色搬送部１４を有する。これらは、バス５を介してそれぞれ接続されている。
【００２３】
制御部４は、図３に示すように、ＣＰＵ（Central Processing Unit）あるいはＭＰＵ(Micro Processing Unit)からなるプロセッサ４１およびメモリ４２を有する。プロセッサ４１は、消色装置１における各種処理を行う役割を有しており、メモリ４２内で格納している種々の機能に関するプログラムを実行する。メモリ４２は、例えば、半導体メモリであり、各種制御プログラムを格納するＲＯＭ４２１（Read Only Memory）と、プロセッサ４１に一時的な作業領域を提供するＲＡＭ４２２（Random Access Memory）と、を有する。
【００２４】
記憶部３は、例えば、ハードディスクドライブやその他の磁気記憶装置、光学式記憶装置、フラッシュ・メモリ等の半導体記憶装置またはこれらの任意の組合せでなどにより構成されるものである。
【００２５】
次に、本実施形態の消色装置１における消色処理について説明する。図４は図１の消色装置１による消色処理を示す制御フローチャートであり、図５は図４の加熱消色処理を示す制御フローチャートである。
【００２６】
初期状態としては、給紙部１１内に消色可能色材で画像が印字されたシートを複数枚収容し、記憶部３には機密文章に関する識別情報および再利用可能上限枚数が記憶されているものとする。
【００２７】
図４を参照して、使用者が操作パネル１７を操作して、消色処理開始の入力を行うと、操作部１７２は、消色処理開始に関する信号を制御部４へ送信する（ＡＣＴ１０１）。制御部４は、給紙部１１を動作させて、給紙部１１内に収容したシートを第１搬送路１２１へ給紙する（ＡＣＴ１０２）。制御部４は、搬送ローラ１２６を動作させて、第１搬送路１２１へ給紙されたシートを画像読取部１５へ搬送する（ＡＣＴ１０３）。制御部４は、画像読取部１５を動作させて、読取位置１５３にて第１搬送路１２１内を搬送されるシートに印字された画像を読取り、読取った画像を制御部４へ送信する（ＡＣＴ１０４）。制御部４は、第１フラッパ１２４を第２搬送路１２２に導く位置に動作させるとともに、搬送ローラ１２６を動作させて、画像読取部１５で読取ったシートを第２搬送路１２２へ搬送する（ＡＣＴ１０５）。
【００２８】
制御部４は、読取った画像中に消色処理禁止の情報が含まれるか否かを判断し、この判断結果に基づいて、加熱消色部２の温度を第１の加熱温度または第２の加熱温度に設定する。制御部４は、加熱消色部２の温度が第１の加熱温度または第２の加熱温度に達したと判断すると、消色搬送部１４を動作させて、加熱消色部２へ通紙して、シートに加熱消色処理を行う（ＡＣＴ１０６）。この加熱消色処理を行う場合における加熱消色部２の設定温度に関する処理に関しては後述する。
【００２９】
制御部４は、消色搬送部１４および搬送ローラ１２６を動作させて、消色処理されたシートを再度第１搬送路１２１へ戻し、第１搬送路１２１のシート搬送方向下流へ搬送する（ＡＣＴ１０７）。制御部４が、読取った画像中に消色処理禁止の情報が含まれないと判断していた場合には、第１フラッパ１２４を第１搬送路１２１へ導く方向に設定するとともに、第２フラッパ１２５を第１搬送路１２１におけるシート搬送方向の下流端部へ導く方向に設定して、第１搬送路１２１内を搬送されるシートを再利用可排紙トレイ１３１へ排紙する（ＡＣＴ１０８）。
【００３０】
一方、制御部４が読取った画像中に消色処理禁止の情報が含まれると判断した場合には、上記のように第２フラッパ１２５により第１搬送路１２１におけるシート搬送方向の下流端部へシートが導かれたことを制御部４が判断すると、制御部４は、第１搬送路１２１におけるシート搬送方向の下流端部に設けられた搬送ローラ１２６を逆回転させて、第２フラッパ１２５を第３搬送路１２３へ導く方向に動作させる。これにより、第１搬送路１２１におけるシート搬送方向の下流端部に搬送されたシートは、スイッチバックして、第３搬送路１２３内を搬送して、再利用不可排紙トレイ１３２内へ排紙する（ＡＣＴ１０８）。
【００３１】
そして、制御部４は、給紙部１１内に収容されたシートが全て再利用可排紙トレイ１３１または再利用不可排紙トレイ１３２に排紙されるまで、上記処理を繰り返す（ＡＣＴ１０９）。
【００３２】
本実施形態の消色装置１は、シートに印字された画像を消色するかの有無に関わらず、画像読取部１５で読取られたシートを全て第２搬送路１２２へ搬送して第１搬送路１２１へ戻す構成とするため、画像読取部１５の読取位置１５３と第１分岐点１２７（第１搬送路１２１における画像読取部１５のシート搬送方向下流側で第２搬送路１２２に分岐する点）までの距離を短くすることができる。具体的には、第１搬送路１２１における読取位置１５３から第１分岐点１２７までの距離を消色装置１に通紙可能な最大シートにおける長手方向の長さよりも短くしても、シートを第２搬送路１２２へ一旦搬送することで、最大シートにおける長手方向の長さを確保することができるため、画像読取部１５の読取結果に応じた消色処理および再利用可排紙トレイ１３１または再利用不可排紙トレイ１３２への排紙を行うことができる。この第１搬送路１２１における読取位置１５３から第１分岐点１２７までの距離は、より好ましくは消色装置１に通紙可能な最少シートにおける長手方向の長さよりも短く設定すると良い。この構成により、本実施形態の消色装置１は、消色装置１全体の大きさをコンパクトにすることができる。さらに、消色装置１全体の大きさをコンパクトにすることにより、画像読取部１５から加熱消色部２までのシートの搬送距離を短くすることができるため、本実施形態の消色装置１は消色処理に関するパフォーマンス性能を向上させることができる。
【００３３】
次に、本実施形態における消色装置１における加熱消色部２の加熱消色処理に関する温度設定処理について説明する。
【００３４】
図５を参照して、第２搬送路１２２内へシートが搬送されると（図４のＡＣＴ１０５）、制御部４は、搬送されたシートに印字された画像中に消色処理禁止の情報が含まれるか否かを判断する（ＡＣＴ２０１、２０２）。制御部４が、読取った画像中に消色処理禁止の情報が含まれており、消色処理を行わないと判断した場合には（ＡＣＴ２０２ＮＯ）、加熱消色部２の温度を第２の加熱温度に設定する（ＡＣＴ２０６）。制御部４は、第２温度検出部２２３の検知温度と設定温度（第２の加熱温度）とを比較して、加熱消色部２の温度が第２の加熱温度に到達するまで、加熱消色部２へのシートを搬送することを停止する（ＡＣＴ２０７ＮＯ）。制御部４が、第２温度検出部２２３の検知温度が設定温度に達したと判断すると、消色搬送部１４を動作させて、第２搬送路１２２内にシートを搬送して、第１搬送路１２１へ戻す（ＡＣＴ２０８、２０９）。
【００３５】
一方、制御部４が、読取った画像中に消色処理禁止の情報が含まれておらず、消色処理を行うと判断すると（ＡＣＴ２０２ＹＥＳ）、加熱消色部２の温度を第１の加熱温度に設定する（ＡＣＴ２０３）。制御部４は、第１温度検出部２１３の検知温度と設定温度（第１の加熱温度）とを比較して、加熱消色部２の温度が第１の加熱温度に到達するまで、加熱消色部２へシートを搬送することを停止する（ＡＣＴ２０４ＮＯ）。制御部４が、第１温度検出部２１３の検知温度が設定温度に達したと判断すると（ＡＣＴ２０４ＹＥＳ）、消色搬送部１４を動作させて、第２搬送路１２２内にシートを搬送し、加熱消色部２へ搬送する（ＡＣＴ２０５）。加熱消色部２へ搬送されたシートは、第１の加熱温度（消色温度）で加熱され、シートに印字された画像は消色される。そして、制御部４は、消色搬送部１４を動作させて、加熱消色部２で消色されたシートを第１搬送路１２１へ戻す（ＡＣＴ２０９）。
【００３６】
このように、制御部４は、消色処理を行う場合には加熱消色部２の設定温度を第１の加熱温度に設定し、消色処理を行わない場合には加熱消色部２の設定温度を第２の加熱温度に設定することで、消色処理の実行の有無に関わらず、常に加熱消色部２の温度を高い状態に保つことができる。すなわち、本実施形態の消色装置１において、印字された画像を消色しないシートを通紙した後に印字された画像を消色するシートを通紙する場合においては、制御部４は、単に加熱消色部２の温度を第２の加熱温度から第１の加熱温度に上昇させるだけで済むため、加熱消色部２が第１の加熱温度に到達するまでにかかる時間を短くすることができる。
【００３７】
このようにして、本実施形態の消色装置１は、印字された画像を消色しないシートを通紙した後に印字された画像を消色するシートを加熱消色部２に通紙するまでにかかる時間（加熱消色部２の加熱温度を第２の加熱温度から第１の加熱温度に上昇させた後に、シートを加熱消色部２へ搬送するまでに必要な時間）を短くすることで、従来の消色装置（印字された画像を消色しないシートが通紙する場合には加熱消色部２の加熱を停止する装置）に比べて、消色処理におけるパフォーマンスを向上することができる。
【００３８】
また、本実施形態の消色装置１は、印字された画像を消色しないシート（画像中に消色処理禁止の情報が含まれるシート）を加熱消色部２へ通紙する際には、加熱消色部２の温度を第１の加熱温度（消色温度）より低い第２の加熱温度に設定することで、シートに印字された画像が消色されることを防ぐ。これにより、本実施形態の消色装置１は、画像中に消色処理禁止の情報が含まれるシートが、使用者により再度使用されることを防ぐ。
【００３９】
具体的には、例えば、制御部４で判断した消色処理禁止の情報が機密文章の識別情報である場合には、シートに印字された画像を消色せずに再利用不可排紙トレイ１３２に排出することで、使用者が誤って機密文章が印字されていたシートを再度利用することを防ぎ、シートに印字されていた画像の内容が他の者へ読まれることを防ぐことができる。
【００４０】
上記実施形態において、画像中に消色処理禁止の情報が含まれるシートの処理を、画像中に消色処理禁止の情報が含まれないシートの処理に比べて、加熱消色部２の設定温度のみを変更する構成（第１の加熱温度から第２の加熱温度に変更する構成）として説明したが、この加熱消色部２の設定温度の変更の他に加熱消色部２へ通紙するシートの搬送速度を変更する構成としても良い。この変形例の消色装置１に関しては、図６を用いて具体的に説明する。図６は、変形例における消色装置１の加熱消色処理を示す制御フローチャートである。なお、この変形例については、制御部４がシートに関して消色処理が不可能と判定した場合のみの処理が異なるため、この処理について説明する。
【００４１】
制御部４が画像読取部１５で読取ったシートに関して消色処理が不可能と判断した場合には（ＡＣＴ２０２ＮＯ）、制御部４は、加熱消色部２の設定温度を第２の加熱温度に設定する（ＡＣＴ２０６）。制御部４が加熱消色部２の設定温度を第２の加熱温度に達したと判定すると（ＡＣＴ２０７ＹＥＳ）、制御部４は、消色搬送部１４の駆動速度を消色するシートにおける駆動速度よりも早く設定し（ＡＣＴ２１０）、加熱消色部へシートを搬送する（ＡＣＴ２０８）。このような構成により、消色しないシートに関する加熱消色部２の通紙時間を、消色するシートに関する加熱消色部２の通紙時間よりも短くすることで、シートの温度が消色温度に達し難くし、よりシートに印字された画像が消色しないようにすることができる。
【００４２】
また、上記実施形態において、第２の加熱温度を第１の加熱温度よりも低い温度として説明したが、特にこれに限られるものではなく、加熱消色部２を通る際にシートが消色温度に達しないような速度で搬送部１２の駆動速度を設定する構成とした場合には、第１の加熱温度より第２の加熱温度を高く設定しても良い。すなわち、第２の加熱温度を第１の加熱温度（消色温度）よりも高い温度としても、消色搬送部１４の駆動速度を速く設定し、加熱消色部２の通紙時間が短くすることで、加熱消色部２を通紙するシートが消色温度まで達することを防ぎ、シートに印字された画像が消色しないようにする。
【００４３】
また、上記実施形態において、第２の加熱温度を第１の加熱温度よりも低い温度に設定するものとして説明したが、第２の加熱温度を１００度未満の温度としても良い。第２の加熱温度を１００度未満に設定して加熱消色部２にシートを通過させることにより、シート中に含まれる水分が蒸発してシートがカールすることを防止することができる。
【００４４】
上記実施形態において、第２加熱部２２２が第２熱源メインランプ２２２aおよび第２熱源サブランプ２２２ｂを備えるものとして説明したが、特にこれに限られるものではなく、第２加熱部２２２が第２熱源メインランプ２２２aのみを備えた構成としても良い。また、第１加熱部２１２に関しても、第１熱源メインランプ２１２aの他に第１熱源サブランプを備える構成としても良い。
【００４５】
以上に詳説したように、この明細書に記載の技術によれば、消色装置１における消色処理に関するパフォーマンスを向上することができる。
【符号の説明】
【００４６】
１  消色装置
１１  給紙部      １１１  スタッカトレイ      １１２  ピックアップローラ      １１３  給紙ローラ      １２  搬送部      １２１  第１搬送路      １２２  第２搬送路      １２３  第３搬送路      １２４  第１フラッパ      １２５  第２フラッパ      １２６  搬送ローラ      １２７  第１分岐点      １２８  第２分岐点      １３  排紙部      １３１  再利用可排紙トレイ      １３２  再利用不可排紙トレイ      １４  消色搬送部      １５  画像読取部      １５１  第１画像読取部      １５２  第２画像読取部      １５３  読取位置      １６  再利用回数印字部      １７  操作パネル      １７１  表示部      １７２  操作部
２  加熱消色部
２１  第１加熱消色部      ２１１  第１加圧部      ２１２  第１加熱部      ２１２a  第１熱源メインランプ      ２１３  第１温度検出部      ２２  第２加熱消色部      ２２１  第２加圧部      ２２２  第２加熱部      ２２２a  第２熱源メインランプ      ２２２ｂ  第２熱源サブランプ      ２２３  第２温度検出部
３  記憶部
４  制御部
４１  プロセッサ      ４２  メモリ      ４２１  ＲＯＭ      ４２２  ＲＡＭ
５  バス
【図１】
0005636062.tif 000002
【図２】
0005636062.tif 000003
【図３】
0005636062.tif 000004
【図４】
0005636062.tif 000005
【図５】
0005636062.tif 000006
【図６】
0005636062.tif 000007